(57)【要約】【課題】この発明は、ユーザにとって不要なコンテンツによりユーザエリアを圧迫されることがなく、特別な操作を行わなくともワイヤレスＬＡＮサーバから提供されるコンテンツを利用できる。【解決手段】この発明は、ワイヤレスＬＡＮサーバ５からダウンロードされるコンテンツはリザーブエリア１４ｂに記憶し、リザーブエリア１４ｂのコンテンツはリザーブエリア１４ｂからユーザエリア１４ａに転送してから利用するようにしたものである。【選択図】　　図３
2004104270.tif 000002
【特許請求の範囲】
【請求項１】
ユーザに種々の情報を提供する移動可能な移動機器において、
ユーザに対するアクセス制限がない第１の記憶手段と、
識別情報により識別される特定の情報提供者がアクセス可能な第２の記憶手段と、
外部機器との無線通信を行う無線通信手段と、
この無線通信手段により外部機器から受信したデータに前記識別情報が付与されていない場合、当該データを前記第１の記憶手段に記憶し、前記無線通信手段により外部機器から受信したデータに前記識別情報が付与されている場合、当該データを前記第２の記憶手段に記憶する制御手段と、
を具備することを特徴とする移動機器。
【請求項２】
ユーザに種々の情報を提供する移動機器において、
ユーザに対するアクセス制限がない第１の記憶手段と、
識別情報により識別される特定の情報提供者がアクセス可能な第２の記憶手段と、
外部機器との無線通信を行う無線通信手段と、
この無線通信手段により外部機器から受信したデータに前記識別情報が付与されていない場合、当該データを前記第１の記憶手段に記憶し、前記無線通信手段により外部機器から受信したデータに前記識別情報が付与されている場合、当該データを前記第２の記憶手段に記憶する制御手段と、
前記第２の記憶手段に記憶されているデータをユーザが利用する場合、当該データに対する課金処理を行う課金処理手段と、
を具備することを特徴とする移動機器。
【請求項３】
ユーザに種々の情報を提供する移動機器において、
ユーザに対するアクセス制限がない第１の記憶手段と、
識別情報により識別される特定の情報提供者がアクセス可能な第２の記憶手段と、
外部機器との無線通信を行う無線通信手段と、
この無線通信手段により外部機器から受信したデータに前記識別情報が付与されていない場合、当該データを前記第１の記憶手段に記憶し、前記無線通信手段により外部機器から受信したデータに前記識別情報が付与されている場合、当該データを前記第２の記憶手段に記憶する制御手段と、
前記第２の記憶手段に記憶されているデータをユーザが利用する場合、当該データの使用を示す情報を前記情報提供者に通知する通知手段と、
を具備することを特徴とする移動機器。
【請求項４】
ユーザに種々の情報を提供する移動可能な移動機器において、
ユーザに対するアクセス制限がない第１の記憶手段と、
識別情報により識別される特定の情報提供者がアクセス可能な第２の記憶手段と、
外部機器との無線通信を行う無線通信手段と、
この無線通信手段により外部機器から受信したデータに前記識別情報が付与されていない場合、当該データを前記第１の記憶手段に記憶し、前記無線通信手段により外部機器から受信したデータに前記識別情報が付与されている場合、当該データを前記第２の記憶手段に記憶する制御手段と、
前記第２の記憶手段に記憶されているデータのうち所定の条件に該当するデータを削除するデータ削除手段と、
を具備することを特徴とする移動機器。
【請求項５】
ユーザに種々の情報を提供する移動可能な移動機器と、この移動機器に情報を提供する情報提供端末とからなる移動機器システムにおいて、
前記移動機器は、
ユーザに対するアクセス制限がない第１の記憶手段と、
識別情報により識別される前記情報提供端末からのアクセスが可能な第２の記憶手段と、
前記情報提供端末との無線通信を行う第１の無線通信手段と、
この第１の無線通信手段により前記情報提供端末から受信したデータに前記識別情報が付与されていない場合、当該データを前記第１の記憶手段に記憶し、前記第１の無線通信手段により前記情報提供端末から受信したデータに前記識別情報が付与されている場合、当該データを前記第２の記憶手段に記憶する制御手段と、を有し、
前記情報提供端末は、
前記移動機器との無線通信を行う第２の無線通信手段と、
この第２の無線通信手段による無線通信の通信圏内に前記移動機器が存在する場合、前記移動機器へ前記識別情報を付与したデータを送信する送信処理手段と、を有する、
ことを特徴とする移動機器システム。
【請求項６】
ユーザに種々の情報を提供する移動可能な移動機器と、この移動機器に情報を提供する情報提供端末とからなる移動機器システムにおいて、
前記移動機器は、
ユーザに対するアクセス制限がない第１の記憶手段と、
識別情報により識別される前記情報提供端末からのアクセスが可能な第２の記憶手段と、
前記情報提供端末との無線通信を行う第１の無線通信手段と、
この第１の無線通信手段により前記情報提供端末から受信したデータに前記識別情報が付与されていない場合、当該データを前記第１の記憶手段に記憶し、前記第１の無線通信手段により前記情報提供端末から受信したデータに前記識別情報が付与されている場合、当該データを前記第２の記憶手段に記憶する制御手段と、
前記第２の記憶手段に記憶されているデータをユーザが利用する場合、当該データに対する課金処理を行う課金処理手段と、を有し、
前記情報提供端末は、
前記移動機器との無線通信を行う第２の無線通信手段と、
この第２の無線通信手段による無線通信の通信圏内に前記移動機器が存在する場合に、前記移動機器へ前記識別情報を付与したデータを送信する送信処理手段と、を有する、
ことを特徴とする移動機器システム。
【請求項７】
ユーザに種々の情報を提供する移動可能な移動機器と、この移動機器に情報を提供する情報提供端末とからなる移動機器システムにおいて、
前記移動機器は、
ユーザに対するアクセス制限がない第１の記憶手段と、
識別情報により識別される前記情報提供端末からのアクセスが可能な第２の記憶手段と、
前記情報提供端末との無線通信を行う第１の無線通信手段と、
この第１の無線通信手段により前記情報提供端末から受信したデータに前記識別情報が付与されていない場合、当該データを前記第１の記憶手段に記憶し、前記第１の無線通信手段により前記情報提供端末から受信したデータに前記識別情報が付与されている場合、当該データを前記第２の記憶手段に記憶する制御手段と、
前記第２の記憶手段に記憶されているデータをユーザが利用する場合、当該データの使用を示す情報を前記情報提供端末に通知する通知手段と、を有し、
前記情報提供端末は、
前記移動機器との無線通信を行う第２の無線通信手段と、
この第２の無線通信手段による無線通信の通信圏内に前記移動機器が存在する場合に、前記移動機器へ前記識別情報を付与したデータを送信する送信処理手段と、
前記移動機器の通知手段により通知される情報に基づいて、前記送信処理手段により前記移動機器へ送信したデータの利用状況を示す情報を管理する情報管理手段と、を有する、
ことを特徴とする移動機器システム。
【請求項８】
ユーザに種々の情報を提供する移動可能な移動機器と、この移動機器に情報を提供する情報提供端末とからなる移動機器システムにおいて、
前記移動機器は、
ユーザに対するアクセス制限がない第１の記憶手段と、
識別情報により識別される前記情報提供端末からのアクセスが可能な第２の記憶手段と、
前記情報提供端末との無線通信を行う第１の無線通信手段と、
この第１の無線通信手段により前記情報提供端末から受信したデータに前記識別情報が付与されていない場合、当該データを前記第１の記憶手段に記憶し、前記第１の無線通信手段により前記情報提供端末から受信したデータに前記識別情報が付与されている場合、当該データを前記第２の記憶手段に記憶する制御手段と、
前記第２の記憶手段に記憶されているデータのうち所定の条件に該当するデータを削除するデータ削除手段と、
このデータ削除手段により削除したデータを示す情報を前記情報提供端末に通知する通知手段と、を有し、
前記情報提供端末は、
前記移動機器との無線通信を行う第２の無線通信手段と、
この第２の無線通信手段による無線通信の通信圏内に前記移動機器が存在する場合に、前記移動機器へ前記識別情報を付与したデータを送信する送信処理手段と、
前記移動機器の通知手段により通知される情報に基づいて、前記送信処理手段により前記移動機器へ送信したデータの利用状況を示す情報を管理する情報管理手段と、を有する、
ことを特徴とする移動機器システム。
【請求項９】
車両に搭載される車載端末機器において、
ユーザに対するアクセス制限がない第１の記憶手段と、
識別情報により識別される特定の情報提供者がアクセス可能な第２の記憶手段と、
当該車両本体の動作状況に関わらずに外部機器との無線通信を行う無線通信手段と、
当該車両本体の動作状況に関わらずに少なくとも前記無線通信手段に電力を供給する電源手段と、
前記無線通信手段により外部機器から受信したデータに前記識別情報が付与されていない場合、当該データを前記第１の記憶手段に記憶し、前記無線通信手段により外部機器から受信したデータに前記識別情報が付与されている場合、当該データを前記第２の記憶手段に記憶する制御手段と、
を具備することを特徴とする車載端末機器。
【請求項１０】
車両に搭載される車載端末機器において、
ユーザに対するアクセス制限がない第１の記憶手段と、
識別情報により識別される特定の情報提供者がアクセス可能な第２の記憶手段と、
当該車両本体の動作状況に関わらずに外部機器との無線通信を行う無線通信手段と、
当該車両本体の動作状況に関わらずに少なくとも前記無線通信手段に電力を供給する電源手段と、
前記無線通信手段により外部機器から受信したデータに前記識別情報が付与されていない場合、当該データを前記第１の記憶手段に記憶し、前記無線通信手段により外部機器から受信したデータに前記識別情報が付与されている場合、当該データを前記第２の記憶手段に記憶する制御手段と、
前記第２の記憶手段に記憶されているデータをユーザが利用する場合、当該データに対する課金処理を行う課金処理手段と、
を具備することを特徴とする車載端末機器。
【請求項１１】
車両に搭載される車載端末機器において、
ユーザに対するアクセス制限がない第１の記憶手段と、
識別情報により識別される特定の情報提供者がアクセス可能な第２の記憶手段と、
当該車両本体の動作状況に関わらずに外部機器との無線通信を行う無線通信手段と、
当該車両本体の動作状況に関わらずに少なくとも前記無線通信手段に電力を供給する電源手段と、
前記無線通信手段により外部機器から受信したデータに前記識別情報が付与されていない場合、当該データを前記第１の記憶手段に記憶し、前記無線通信手段により外部機器から受信したデータに前記識別情報が付与されている場合、当該データを前記第２の記憶手段に記憶する制御手段と、
前記第２の記憶手段に記憶されているデータをユーザが利用する場合、当該データの使用を示す情報を前記情報提供者に通知する通知手段と、
を具備することを特徴とする車載端末機器。
【請求項１２】
車両に搭載される車載端末機器において、
ユーザに対するアクセス制限がない第１の記憶手段と、
識別情報により識別される特定の情報提供者がアクセス可能な第２の記憶手段と、
当該車両本体の動作状況に関わらずに外部機器との無線通信を行う無線通信手段と、
当該車両本体の動作状況に関わらずに少なくとも前記無線通信手段に電力を供給する電源手段と、
前記無線通信手段により外部機器から受信したデータに前記識別情報が付与されていない場合、当該データを前記第１の記憶手段に記憶し、前記無線通信手段により外部機器から受信したデータに前記識別情報が付与されている場合、当該データを前記第２の記憶手段に記憶する制御手段と、
前記第２の記憶手段に記憶されているデータのうち所定の条件に該当するデータを削除するデータ削除手段と、
を具備することを特徴とする車載端末機器。
【請求項１３】
車両に搭載される車載端末機器と、この車載端末機器に情報を提供する情報提供端末とからなる車載端末機器システムにおいて、
前記車載端末機器は、
ユーザに対するアクセス制限がない第１の記憶手段と、
識別情報により識別される前記情報提供端末からのアクセスが可能な第２の記憶手段と、
当該車両本体の動作状況に関わらずに外部機器との無線通信を行う第１の無線通信手段と、
当該車両本体の動作状況に関わらずに少なくとも前記第１の無線通信手段に電力を供給する電源手段と、
前記第１の無線通信手段により前記情報提供端末から受信したデータに前記識別情報が付与されていない場合、当該データを前記第１の記憶手段に記憶し、前記第１の無線通信手段により前記情報提供端末から受信したデータに前記識別情報が付与されている場合、当該データを前記第２の記憶手段に記憶する制御手段と、を有し、
前記情報提供端末は、
前記車載端末機器との無線通信を行う第２の無線通信手段と、
この第２の無線通信手段による無線通信の通信圏内に前記車載端末機器を搭載した車両が現れた際に、前記車載端末機器へ前記識別情報を付与したデータを送信する送信処理手段と、を有する、
ことを特徴とする車載端末機器システム。
【請求項１４】
車両に搭載される車載端末機器と、この車載端末機器に情報を提供する情報提供端末とからなる車載端末機器システムにおいて、
前記車載端末機器は、
ユーザに対するアクセス制限がない第１の記憶手段と、
識別情報により識別される前記情報提供端末からのアクセスが可能な第２の記憶手段と、
当該車両本体の動作状況に関わらずに外部機器との無線通信を行う第１の無線通信手段と、
当該車両本体の動作状況に関わらずに少なくとも前記第１の無線通信手段に電力を供給する電源手段と、
前記第１の無線通信手段により前記情報提供端末から受信したデータに前記識別情報が付与されていない場合、当該データを前記第１の記憶手段に記憶し、前記第１の無線通信手段により前記情報提供端末から受信したデータに前記識別情報が付与されている場合、当該データを前記第２の記憶手段に記憶する制御手段と、
前記第２の記憶手段に記憶されているデータをユーザが利用する場合、当該データに対する課金処理を行う課金処理手段と、を有し、
前記情報提供端末は、
前記車載端末機器との無線通信を行う第２の無線通信手段と、
この第２の無線通信手段の通信圏内に前記車載端末機器を搭載した車両が現れた際に、前記車載端末機器へ前記識別情報を付与したデータを送信する送信処理手段と、を有する、
ことを特徴とする車載端末機器システム。
【請求項１５】
車両に搭載される車載端末機器と、この車載端末機器に情報を提供する情報提供端末とからなる車載端末機器システムにおいて、
前記車載端末機器は、
ユーザに対するアクセス制限がない第１の記憶手段と、
識別情報により識別される前記情報提供端末からのアクセスが可能な第２の記憶手段と、
当該車両本体の動作状況に関わらずに外部機器との無線通信を行う第１の無線通信手段と、
当該車両本体の動作状況に関わらずに少なくとも前記第１の無線通信手段に電力を供給する電源手段と、
前記第１の無線通信手段により前記情報提供端末から受信したデータに前記識別情報が付与されていない場合、当該データを前記第１の記憶手段に記憶し、前記第１の無線通信手段により前記情報提供端末から受信したデータに前記識別情報が付与されている場合、当該データを前記第２の記憶手段に記憶する制御手段と、
前記第２の記憶手段に記憶されているデータをユーザが利用する場合、当該データの使用を示す情報を前記情報提供端末に通知する通知手段と、を有し、
前記情報提供端末は、
前記車載端末機器との無線通信を行う第２の無線通信手段と、
この第２の無線通信手段の通信圏内に前記車載端末機器を搭載した車両が現れた際に、前記車載端末機器へ前記識別情報を付与したデータを送信する送信処理手段と、
前記車載端末機器の通知手段により通知される情報に基づいて、前記送信処理手段により前記車載端末機器へ送信したデータの利用状況を示す情報を管理する情報管理手段と、を有する、
ことを特徴とする車載端末システム。
【請求項１６】
車両に搭載される車載端末機器と、この車載端末機器に情報を提供する情報提供端末とからなる車載端末機器システムにおいて、
前記車載端末機器は、
ユーザに対するアクセス制限がない第１の記憶手段と、
識別情報により識別される前記情報提供端末からのアクセスが可能な第２の記憶手段と、
当該車両本体の動作状況に関わらずに外部機器との無線通信を行う第１の無線通信手段と、
当該車両本体の動作状況に関わらずに少なくとも前記第１の無線通信手段に電力を供給する電源手段と、
前記第１の無線通信手段により前記情報提供端末から受信したデータに前記識別情報が付与されていない場合、当該データを前記第１の記憶手段に記憶し、前記第１の無線通信手段により前記情報提供端末から受信したデータに前記識別情報が付与されている場合、当該データを前記第２の記憶手段に記憶する制御手段と、
前記第２の記憶手段に記憶されているデータのうち所定の条件に該当するデータを削除するデータ削除手段と、
このデータ削除手段により削除したデータを示す情報を前記情報提供端末に通知する通知手段と、を有し、
前記情報提供端末は、
前記車載端末機器との無線通信を行う第２の無線通信手段と、
この第２の無線通信手段の通信圏内に前記車載端末機器を搭載した車両が現れた際に、前記車載端末機器へ前記識別情報を付与したデータを送信する送信処理手段と、
前記車載端末機器の通知手段により通知される情報に基づいて、前記送信処理手段により前記車載端末機器へ送信したデータの利用状況を示す情報を管理する情報管理手段と、を有する、
ことを特徴とする車載端末システム。
【発明の詳細な説明】
【０００１】
【発明の属する技術分野】
この発明は、例えば、移動中のユーザに対して種々の情報を提供する移動機器及び移動機器システムと、車両の乗車者に対して種々の情報を提供する車載端末機器及び車載端末機器システムに関する。
【０００２】
【従来の技術】
従来、車両に設置されるカーナビゲーションシステムなどの車両端末機器では、ＣＤあるいはＤＶＤ等の記憶媒体に予め記憶されている情報を車両の乗車者に対して提供するようになっている。このような車両端末機器において、例えば、ユーザ自身が音楽あるいは映像などを車両内で再生する場合には、ユーザ自身が予め記憶媒体に音楽や映像などのデータを格納しておく必要がある。また、従来の車両端末機器では、情報を提供する側（情報提供者）が試聴向け音楽や広告などを自由に車載端末機器へ格納することはできない。
【０００３】
すなわち、情報提供者側が提供したい情報があってもユーザ自身が車載端末機器に情報を格納する作業を行わなければ、情報提供者はユーザに情報を提供することができないという問題点がある。また、ユーザは、車載端末機器で利用したい情報であっても自身でその情報を車載端末機器に格納する作業を行わなければならないという手間がかかるという問題点がある。
【０００４】
また、例えば、情報提供者が情報を無制限で車載端末機器へ格納できるようにすると、車載端末機器内の記憶装置における記憶容量を圧迫し、ユーザ自身が自由に使用可能な記憶容量が少なくなるという問題が発生する可能性もある。
【０００５】
【発明が解決しようとする課題】
上記したように、ユーザが自由に利用できる記憶領域を使用して情報が提供されたり、ユーザ自身が情報を記憶する作業を行わなければならないという問題点を解決するもので、情報提供者側から提供する情報をユーザに手間をかけさせることなく提供することができ、かつ、ユーザ自身が自由に使用可能な記憶容量を圧迫することがない移動機器、車載端末機器、移動機器システム及び車載端末機器システムを提供することを目的とする。
【０００６】
【課題を解決するための手段】
この発明の移動機器は、ユーザに種々の情報を提供する移動可能なものにおいて、ユーザに対するアクセス制限がない第１の記憶手段と、識別情報により識別される特定の情報提供者がアクセス可能な第２の記憶手段と、外部機器との無線通信を行う無線通信手段と、この無線通信手段により外部機器から受信したデータに前記識別情報が付与されていない場合、当該データを前記第１の記憶手段に記憶し、前記無線通信手段により外部機器から受信したデータに前記識別情報が付与されている場合、当該データを前記第２の記憶手段に記憶する制御手段とを有する。
【０００７】
この発明の移動機器システムは、ユーザに種々の情報を提供する移動可能な移動機器と、この移動機器に情報を提供する情報提供端末とからなるシステムにおいて、前記移動機器は、ユーザに対するアクセス制限がない第１の記憶手段と、識別情報により識別される前記情報提供端末からのアクセスが可能な第２の記憶手段と、前記情報提供端末との無線通信を行う第１の無線通信手段と、この第１の無線通信手段により前記情報提供端末から受信したデータに前記識別情報が付与されていない場合、当該データを前記第１の記憶手段に記憶し、前記第１の無線通信手段により前記情報提供端末から受信したデータに前記識別情報が付与されている場合、当該データを前記第２の記憶手段に記憶する制御手段と、を有し、前記情報提供端末は、前記移動機器との無線通信を行う第２の無線通信手段と、この第２の無線通信手段による無線通信の通信圏内に前記移動機器が存在する場合、前記移動機器へ前記識別情報を付与したデータを送信する送信処理手段とを有する。
【０００８】
この発明の車載端末機器は、車両に搭載されるものにおいて、ユーザに対するアクセス制限がない第１の記憶手段と、識別情報により識別される特定の情報提供者がアクセス可能な第２の記憶手段と、当該車両本体の動作状況に関わらずに外部機器との無線通信を行う無線通信手段と、当該車両本体の動作状況に関わらずに少なくとも前記無線通信手段に電力を供給する電源手段と、前記無線通信手段により外部機器から受信したデータに前記識別情報が付与されていない場合、当該データを前記第１の記憶手段に記憶し、前記無線通信手段により外部機器から受信したデータに前記識別情報が付与されている場合、当該データを前記第２の記憶手段に記憶する制御手段とを有する。
【０００９】
この発明の車載端末機器システムは、車両に搭載される車載端末機器と、この車載端末機器に情報を提供する情報提供端末とからなるシステムにおいて、前記車載端末機器は、ユーザに対するアクセス制限がない第１の記憶手段と、識別情報により識別される前記情報提供端末からのアクセスが可能な第２の記憶手段と、当該車両本体の動作状況に関わらずに外部機器との無線通信を行う無線通信手段と、当該車両本体の動作状況に関わらずに少なくとも前記無線通信手段に電力を供給する電源手段と、前記第１の無線通信手段により前記情報提供端末から受信したデータに前記識別情報が付与されていない場合、当該データを前記第１の記憶手段に記憶し、前記第１の無線通信手段により前記情報提供端末から受信したデータに前記識別情報が付与されている場合、当該データを前記第２の記憶手段に記憶する制御手段とを有し、前記情報提供端末は、前記車載端末機器との無線通信を行う第２の無線通信手段と、この第２の無線通信手段による無線通信の通信圏内に前記車載端末機器を搭載した車両が現れた際に、前記車載端末機器へ前記識別情報を付与したデータを送信する送信処理手段とを有する。
【００１０】
【発明の実施の形態】
以下、この発明の実施の形態について図面を参照して説明する。
図１及び図２は、この発明の車載端末機器及び車載端末システムに係る車載サーバシステムの構成例を概略的に示す図である。
図１及び図２に示すように、に示すように、自宅内に設置されるホームサーバシステム、店舗（レストラン、お店、ガソリンスタンド、病院、パーキングエリア）などに設置されるワイヤレスＬＡＮサーバ（情報提供端末）５、及び自動車（車両）Ｈに搭載される車載サーバ（車載端末機器）Ｓから構成される。上記ホームサーバシステムは、テレビ、スピーカなどから構成されるＡＶシステム１、上記ＡＶシステム１をコントロールするＡＶコントローラ２、パーソナルコンピュータ（ＰＣ）３、及びホームサーバ４から構成される。上記ＰＣ３は、上記ＡＶシステム１、上記ＡＶコントローラ２、及びホームサーバ４に自宅内のＬＡＮを介して接続される。
【００１１】
上記ホームサーバ４は、ＡＤＳＬあるいはＣＡＴＶ等によるインターネット接続機能、ＴＶ放送の受信機能、及びワイヤレスＬＡＮ機能などを有している。上記ホームサーバ４は、図１に示すように、上記ワイヤレスＬＡＮ機能により自宅駐車場に駐車している車両の車載サーバＳとの無線通信ができるように設置されている。
【００１２】
また、上記ワイヤレスＬＡＮサーバ５は、ワイヤレスＬＡＮ機能を有している。また、上記ワイヤレスＬＡＮサーバ５は、図２に示すように、上記ワイヤレスＬＡＮ機能により店舗の駐車場内に存在する車両の車載サーバＳとの無線通信ができるように設置されている。
【００１３】
上記のように、車載サーバＳは、ホームサーバ４及びワイヤレスＬＡＮサーバ５とのワイヤレス通信が可能となっている。従って、上記車載サーバＳと上記ホームサーバ４との無線通信では、主に、ユーザ自身の操作に基づき、車載サーバＳで利用したいデータ、あるいは、ホームサーバ４で利用したいデータのやり取りが行われる。
【００１４】
また、上記車載サーバＳと上記ワイヤレスＬＡＮサーバ５との無線通信では、主に、情報提供者（第３者）からの情報を車載サーバＳが取り込み、車載サーバＳでの情報の利用状況などを示す情報をワイヤレスＬＡＮサーバ５へ送信するようになっている。なお、ここでは、予めユーザと情報提供者との間で交わされる契約に基づいて、車載サーバＳが各地に設置されるワイヤレスＬＡＮサーバ５からの情報提供を受けられるようになっているものとする。
【００１５】
図３は、上記ホームサーバ４、上記ワイヤレスＬＡＮサーバ５、及び上記車載サーバＳの構成例を概略的に示すブロック図である。
上記車載サーバＳは、ＭＰＵ１１、メモリ１２、ワイヤレスＬＡＮ（無線通信手段）１３、ＨＤＤ１４、ＤＶＤ／ＣＤドライブ１５、表示コントローラ１６、表示部１７、操作コントローラ１８、操作部１９、電源２０、ＧＰＳシステム２１、携帯電話通信部２２、及びスピーカ２３などを有している。
【００１６】
上記ＭＰＵ１１は、ＣＰＵなどで構成され、車載サーバＳ全体の制御を司るものである。上記メモリ１２は、ＲＯＭやＲＡＭなどのメモリで構成される。上記メモリ１２には、制御プログラムや制御用などが記憶される。また、上記メモリ１２には、作業用のデータが一時的に記憶される。上記ワイヤレスＬＡＮ１３は、外部機器との無線通信を行うものである。上記ワイヤレスＬＡＮ１３は、例えば、ＩＥＥＥ８０２．１１などの通信規格に基づいて上記ホームサーバ４あるいは上記ワイヤレスＬＡＮサーバ５との無線通信を行う。上記ワイヤレスＬＡＮ１３には、ＩＰアドレス１３ａが与えられているものとする。
【００１７】
上記ＨＤＤ１４は、ユーザエリア１４ａとリザーブエリア１４ｂとを有し、さらに、リザーブエリア１４ｂ内の各情報を管理する情報管理エリア１４ｃを有している。上記ユーザエリア１４ａ、リザーブエリア１４ｂ及び情報管理エリア１４ｃについて後で詳細に説明する。なお、本実施の形態では、ＨＤＤ１４にユーザエリア１４ａとリザーブエリア１４ｂを設けるようにしてが、これに限らず、半導体メモリあるいはＤＶＤ等の記憶媒体などにユーザエリア１４ａやリザーブエリア１４ｂを設けるようにしても良い。また、本実施の形態では、１つのＨＤＤ１４内にユーザエリア１４ａとリザーブエリア１４ｂとを設けるようにしたが、別の記憶装置にユーザエリア１４ａとリザーブエリア１４ｂとを設けるようにしても良い。
【００１８】
上記ＤＶＤ／ＣＤドライブ１５は、地図、音楽、あるいは映像などのデータが予め記憶されているＤＶＤあるいはＣＤなどの記憶媒体からデータを読み出す装置である。なお、上記ＤＶＤ／ＣＤドライブ１５は、ＤＶＤ／ＣＤなどの記憶媒体に情報を記憶する機能を持つものであっても良い。
【００１９】
上記表示部１７は、上記表示コントローラ１６の制御に基づいて情報を表示するものである。上記操作コントローラ１８は、上記操作部１９にて入力された情報をＭＰＵなどへ通知する。上記表示部１７及び上記操作部１９は、例えば、タッチパネル（操作部）付きの液晶表示装置（表示部）などにより構成される。上記電源２０は、車載サーバＳの各部へ電源を供給するものである。
【００２０】
この電源２０は、車両自体の駆動に係るバッテリーとは別に設置され、車両のエンジンが停止中であっても車載サーバＳが機能するよう電源供給を行う。例えば、上記電源２０は、第１の電源供給手段と第２の電源供給手段とから構成され、第１の電源供給手段が常にワイヤレスＬＡＮ１３とＭＰＵ１１とに電力を供給し、第２の電源供給手段が前記第１の電源供給手段の駆動信号に応じて車載サーバＳの各部に電力を供給するようになっている。従って、車両が停止中（車両内が無人の場合）などで車載サーバＳが動作していない場合（待機状態）において、上記電源２０は、第１の電源供給手段によりＭＰＵ１１とワイヤレスＬＡＮ１３とに電源を供給している。これにより、車載サーバＳが待機状態であってもワイヤレスＬＡＮ１３によるデータの受信を可能とし、さらには、上記ワイヤレスＬＡＮ１３がホームサーバ４やワイヤレスＬＡＮサーバ５などの外部機器からのデータを受信した際、上記第１の電源供給手段により第２の電源供給手段を駆動させ、車載サーバＳの各部の動作を可能としている。また、外部機器との通信が終了した際には、上記第２の電源供給手段がオフし、上記第１の電源供給手段が上記ＭＰＵ１１及び上記ワイヤレスＬＡＮ１３のみへの電力供給することで車載サーバＳを待機状態に移行させるようになっている。
なお、上記ワイヤレスＬＡＮ１３内に外部機器との無線通信や電源制御を行うＭＰＵを設けるようにしても良い。この場合、車載サーバＳが待機状態の場合にはワイヤレスＬＡＮ１３にのみ電力を供給すれば、上記同様な動作が実現できる。
【００２１】
上記ＧＰＳシステム２１は、衛星からの電波等を受信して当該車両の位置を判断するシステムである。また、上記携帯電話通信部２２は、例えば、符号分割多重アクセスによる無線通信を行うものである。すなわち、上記携帯電話通信部２２では、携帯電話と同様な通信機能を実現する。上記スピーカ２３は、ユーザに対する音声情報などを発生するものである。
【００２２】
また、上記ホームサーバ４は、ＭＰＵ３１、メモリ３２、ワイヤレスＬＡＮ（無線通信手段）３３、ＨＤＤ３４、ＤＶＤ／ＣＤドライブ３５、表示コントローラ３６、表示部３７、操作コントローラ３８、操作部３９、電源４０、チューナー４１、及びモデム４２などを有している。
【００２３】
上記ＭＰＵ３１は、ＣＰＵなどで構成され、ホームサーバ４全体の制御を司るものである。上記メモリ３２は、ＲＯＭやＲＡＭなどのメモリで構成される。上記メモリ３２には、制御プログラムや制御用などが記憶される。また、上記メモリ３２には、作業用のデータが一時的に記憶される。上記ワイヤレスＬＡＮ３３は、外部機器との無線通信を行うものである。上記ワイヤレスＬＡＮ３３は、例えば、ＩＥＥＥ８０２．１１などの通信規格に基づいて上記車載サーバＳとの無線通信を行う。上記ワイヤレスＬＡＮ３３には、ＩＰアドレス３３ａが与えられているものとする。また、上記ワイヤレスＬＡＮ３３は、自宅内のＰＣ等とワイヤレスＬＡＮにて接続する際にも使用される。
【００２４】
上記ＨＤＤ３４には、ユーザがＡＶコントローラ２やＰＣ３などを用いて保存した音楽やＴＶ放送などのコンテンツ３４ａが記憶される。上記ＤＶＤ／ＣＤドライブ３５は、地図、音楽、あるいは映像などのデータが予め記憶されているＤＶＤあるいはＣＤなどの記憶媒体からデータを読出す装置である。なお、上記ＤＶＤ／ＣＤドライブ３５は、ＤＶＤ／ＣＤなどの記憶媒体に情報を記憶する機能を持つものであっても良い。
【００２５】
上記表示部３７は、上記表示コントローラ３６の制御に基づいて情報を表示するものである。上記操作コントローラ３８は、上記操作部３９にて入力された情報をＭＰＵ３１などへ通知する。なお、ユーザが上記ホームサーバ４を上記ＰＣ３にて操作する場合、上記ホームサーバ４には、上記表示コントローラ３６、上記表示部３７、上記操作コントローラ３８及び上記操作部３９を設けなくとも良い。上記電源４０は、当該ホームサーバ４の各部へ電源を供給するものである。上記チューナー４１は、室外アンテナ等と接続され、アンテナにて受信した電波を一定の周波数の信号に変換する同調装置である。上記モデム４２は、ＡＤＳＬ回線やＣＡＴＶ回線によりインターネットに接続するインターフェースである。
【００２６】
また、上記ワイヤレスＬＡＮサーバ５は、ＭＰＵ５１、メモリ５２、ワイヤレスＬＡＮ（無線通信手段）５３、ＨＤＤ５４、表示コントローラ５６、表示部５７、操作コントローラ５８、操作部５９、及び電源６０などを有している。
【００２７】
上記ＭＰＵ５１は、ＣＰＵなどで構成され、ワイヤレスＬＡＮサーバ５全体の制御を司るものである。上記メモリ５２は、ＲＯＭやＲＡＭなどのメモリで構成される。上記メモリ５２には、制御プログラムや制御用などが記憶される。また、上記メモリ５２には、作業用のデータが一時的に記憶される。上記ワイヤレスＬＡＮ５３は、外部機器との無線通信を行うものである。上記ワイヤレスＬＡＮ５３は、例えば、ＩＥＥＥ８０２．１１などの通信規格に基づいて上記車載サーバＳとの無線通信を行う。上記ワイヤレスＬＡＮ５３には、ＩＰアドレス５３ａが与えられているものとする。
【００２８】
上記ＨＤＤ５４は、特定の車載サーバＳへ提供するコンテンツ５４ａが格納されている。また、ＨＤＤ５４には、車載サーバＳにコンテンツ５４ａを提供する際に付与するＩＤ情報が記憶されている。さらに、上記ＨＤＤ５４には、各車載サーバＳでのコンテンツの利用状況などを管理するための管理情報が記憶される情報管理エリア５４ｂが設けられている。例えば、上記情報管理エリア５４ｂに記憶される情報は、ダウンロード用のコンテンツを作成する際に利用される。上記表示部５７は、上記表示コントローラ５６の制御に基づいて情報を表示するものである。上記操作コントローラ５８は、上記操作部５９にて入力された情報をＭＰＵ５１などへ通知する。また、ワイヤレスＬＡＮサーバ５は、図示しないインターフェースによりセンタサーバ６１と通信可能に接続されている。上記センタサーバ６１は、各ワイヤレスＬＡＮサーバ５の動作状況や各ワイヤレスＬＡＮサーバが提供する情報などを管理するサーバ装置などで構成される。また、上記センタサーバ６１には、上記車載サーバＳの携帯電話通信部２２との通信機能を設け、上記車載サーバＳとの間での課金処理を行うようにしても良い。
【００２９】
次に、上記ＨＤＤ１４の構成について詳細に説明する。
上述したように、上記ＨＤＤ１４は、ユーザエリア１４ａとリザーブエリア１４ｂとを有し、さらに、リザーブエリア１４ｂ内には情報管理エリア１４ｃが設けられている。
【００３０】
上記ユーザエリア１４ａは、車両（車両サーバ）のユーザが自由にアクセス可能なデータを記憶するエリアである。すなわち、上記ホームサーバ４等によりユーザ自身がコンテンツなどのデータを車載サーバＳに記憶する場合、当該データは、上記ユーザエリア１４ａに記憶される。このユーザエリア１４ａに記憶されている情報は、ユーザが自由に利用することができる。
【００３１】
上記リザーブエリア１４ｂは、特定の情報提供者から発信された情報を記憶するエリアである。上記リザーブエリア１４ｂには、情報が特定の情報提供者からの情報であるか否かを識別するための識別情報（ＩＤ）が記憶されている。このようなリザーブエリア１４ｂに対応する識別情報は、予め登録される情報である。すなわち、上記ワイヤレスＬＡＮサーバ５から提供される情報は、その情報に付与されているＩＤにより識別され、対応するＩＤのリザーブエリア１４ｂに記憶される。なお、上記ワイヤレスＬＡＮサーバ５から提供される情報であっても、所定のＩＤが付与されていないデータについては、ユーザエリア１４ａに記憶するようにしても良い。
【００３２】
また、上記リザーブエリア１４ｂは、１つであっても良いし、複数であっても良い。例えば、１つのリザーブエリア１４ｂを設定しておき、ユーザ以外の第３者から提供される情報を１つのリザーブエリア１４ｂに全て記憶するようにしても良い。また、ＩＤが異なる複数のリザーブエリア１４ｂを設定しておき、例えば、地図情報、音楽情報、タウン情報などの情報の種類ごとに各リザーブエリア１４ｂに振り分けて情報を記憶するようにしても良い。
【００３３】
次に、上記リザーブエリア１４ｂに記憶されるＩＤについて説明する。
上記ワイヤレスＬＡＮサーバ５から上記車載サーバＳへ送信されるＩＤ情報は、例えば、図４に示すような形態が可能である。図４に示す例では、ＩＤ情報が上記リザーブエリア１４ｂに対応するＩＤとしての共通ＩＤと各情報提供者（ワイヤレスＬＡＮサーバ）を示す情報とから構成されている。このような形態のＩＤ情報によれば、車載サーバＳ側では、ワイヤレスＬＡＮサーバ５からのＩＤ情報に基づいて、情報（コンテンツ）を記憶すべきリザーブエリア１４ｂを識別できるとともに、情報の発信元（ワイヤレスＬＡＮサーバ）を識別できる。なお、ワイヤレスＬＡＮサーバからダウンロードされる各コンテンツには、図４に示すように、上記ＩＤ情報の他にコンテンツＩＤが付与される。
【００３４】
また、上記リザーブエリア１４ｂに記憶されるＩＤは、例えば、車載サーバＳにてワイヤレスＬＡＮサーバ５からの情報提供を受けるためのユーザと情報提供者との契約時に設定される。例えば、上記ＩＤの設定方法は、上記携帯電話通信部２２による通信にて車載サーバＳに供給されるＩＤに基づいて設定するようにしても良いし、情報提供者側の操作に基づいて設定されるようにしても良い。
【００３５】
また、上記情報管理エリア１４ｃには、アクセス状況を示す情報が記憶される。図５に示す例では、アクセス状況を示す情報として、リザーブエリア１４ｂに記憶されている各情報に対し、コンテンツＩＤ、登録日、及びアクセス回数などが上記情報管理エリア１４ｃに記憶される。このような情報管理エリア１４ｃに記憶される情報については後で詳細に説明する。
【００３６】
次に、上記のように構成される車載サーバシステムの動作について説明する。まず、上記ホームサーバ４から上記車載サーバＳへコンテンツをダウンロードする際の動作について説明する。
図６は、上記ホームサーバ４から上記車載サーバＳへコンテンツをダウンロードする際の動作を説明するためのフローチャートである。ここでは、ホームサーバ４は、コンテンツをダウンロード可能な車載サーバＳのＩＰアドレスをＨＤＤ等に記憶しているものとする。また、車載サーバＳが搭載された車両が自宅駐車場に駐車されている状態であるものする。この場合、上記車載サーバＳは、上記電源２０によりデータの受信、記憶などの動作が可能となっている。
【００３７】
すなわち、上記ホームサーバ４に保存してあるコンテンツを車載サーバＳへダウンロードする際、ユーザは、ホームサーバ４の操作部３９にて車載サーバＳへ転送するコンテンツを指定する（ステップＳ１１）。さらに、転送可能な車載サーバが複数存在する場合（例えば、車載サーバＳが搭載された車両が複数存在する場合）、ユーザは、コンテンツを転送する車載サーバＳを指定する。すると、ホームサーバ４のＭＰＵ３１は、コンテンツの転送先に指定された車載サーバＳのＩＰアドレスを判別する（ステップＳ１２）。
【００３８】
転送先のＩＰアドレスを判別すると、ＭＰＵ３１は、ワイヤレスＬＡＮ３３により当該ＩＰアドレスを有する車載サーバＳを検索する（ステップＳ１３）。これにより当該ＩＰアドレスの車載サーバＳを見つけると（ステップＳ１４、ＹＥＳ）、ＭＰＵ３１は、ユーザにより指定されたコンテンツを車載サーバＳへダウンロードする（ステップＳ１５）。
【００３９】
上記ホームサーバ４からコンテンツがダウンロードされると、車載サーバＳのＭＰＵ１１は、ダウンロードされたコンテンツにＩＤが付与されているか否かを確認する。この場合（ホームサーバ４からコンテンツをダウンロードする場合）、コンテンツにはＩＤが付与されていないので、ＭＰＵ１１は、ダウンロードされたデータをＨＤＤ１４のユーザエリア１４ａに記憶する（ステップＳ１６）。
【００４０】
上記のように、車載サーバが搭載された車両が自宅駐車場に駐車されている状態であっても、ユーザが自宅のホームサーバにて車載サーバにダウンロードしたいコンテンツを指示すると、車載サーバのユーザエリアにコンテンツが記憶されるようにしたものである。これにより、車載サーバＳが搭載された車両が自宅駐車場に駐車されている状態であっても、ユーザが自宅のホームサーバにて車載サーバにダウンロードしたいコンテンツを指示するだけで、車載サーバＳに所望のコンテンツをダウンロードすることが可能となる。
【００４１】
次に、上記ワイヤレスＬＡＮサーバ５から上記車載サーバＳへコンテンツをダウンロードする際の動作について説明する。
図７は、ワイヤレスＬＡＮサーバ５から上記車載サーバＳへコンテンツをダウンロードする際の動作を説明するためのフローチャートである。
すなわち、上記ワイヤレスＬＡＮサーバ５は、上記ワイヤレスＬＡＮ５３によりダウンロード可能な車両からの応答を要求する信号を発信している（ステップＳ２１）。この状態において、上記ワイヤレスＬＡＮサーバ５からのコンテンツのダウンロードが可能な車載サーバＳが設置された車両が上記ワイヤレスＬＡＮ５３の通信圏内に進入すると、車載サーバＳのＭＰＵ１１は、ワイヤレスＬＡＮサーバ５からの応答要求に対する応答信号を発信する。この際、当該車載サーバＳのＩＰアドレス等もワイヤレスＬＡＮサーバ５へ送信する。このような車載サーバＳからの応答信号を受信すると（ステップＳ２２、ＹＥＳ）、上記ワイヤレスＬＡＮサーバ５のＭＰＵ５１は、ダウンロード用のコンテンツをＨＤＤより読み出す（ステップＳ２３）。
【００４２】
ダウンロード用のコンテンツを読み出すと、上記ＭＰＵ５１は、応答のあった車載サーバＳのＩＰアドレスを指定し（ステップＳ２４）、当該車載サーバＳを検索する（ステップＳ２５）。これにより、当該車載サーバＳを見つけると（当該車載サーバＳとの接続が確立すると）（ステップＳ２６、ＹＥＳ）、ＭＰＵ５１は、ダウンロード用コンテンツを当該車載サーバＳへダウンロードする。この際、ＭＰＵ５１は、図５に示すように、コンテンツにＩＤ情報を付与して発信する（ステップＳ２７）。
【００４３】
ここで、通常、ワイヤレスＬＡＮサーバ５からは、ＩＤ情報付きのコンテンツが発信されるが、例えば、データ量の少ない情報などに関しては、ＩＤ情報を付与せずに発信するようにしても良い。この場合、ワイヤレスＬＡＮサーバ５は、ＩＤ情報を付与せずに、コンテンツ（ユーザが自由に利用可能なアクセス制限のない情報）を発信する。なお、車載サーバＳのＨＤＤ１４におけるユーザエリア１４ａの記憶容量を確保するため、ワイヤレスＬＡＮサーバ５からはＩＤ情報を付与しないコンテンツ（ユーザエリア１４ａに記憶される情報）を発信しないようにしても良い。
【００４４】
上記ワイヤレスＬＡＮサーバ５からコンテンツがダウンロードされると、上記車載サーバＳのＭＰＵ１１は、ダウンロードされたコンテンツにＩＤ情報が付与されているか否かを判断する（ステップＳ２８）。この判断によりダウンロードされたコンテンツにＩＤ情報が付与されていないと判断した場合（ステップＳ２８、ＮＯ）、ＭＰＵ１１は、ダウンロードされたコンテンツをＨＤＤ１４のユーザエリア１４ａに記憶する（ステップＳ２９）。
【００４５】
また、上記判断によりダウンロードされたコンテンツにＩＤ情報が付与されている場合（ステップＳ２８、ＮＯ）、ＭＰＵ１１は、コンテンツに付与されているＩＤに基づき、ダウンロードされたコンテンツの記憶エリアを判別する。つまり、ＭＰＵ１１は、コンテンツに付与されているＩＤに対応するリザーブエリア１４ｂを判別する。これにより、コンテンツを記憶するリザーブエリア１４ｂを判別すると、ＭＰＵ１１は、上記リザーブエリア１４ｂにダウンロードされたコンテンツを記憶する。
【００４６】
上記ステップＳ２９あるいは上記ステップＳ３１により、ワイヤレスＬＡＮサーバ５からダウンロードしたコンテンツのユーザエリアあるいはリザーブエリアへの記憶が完了すると、ＭＰＵ１１は、ワイヤレスＬＡＮサーバ５からコンテンツがダウンロードされた旨を案内（報知）する（ステップＳ３２）。
【００４７】
上記ワイヤレスＬＡＮサーバ５からダウンロードされたコンテンツを案内する方法は、種々の方法がある。例えば、上記表示コントローラ１６によりコンテンツがダウンロードされた旨を表示部１７の一部に表示するようにしても良いし、上記スピーカ２３により音声のみでコンテンツがダウンロードされた旨を報知するようにしても良い。
【００４８】
さらには、ＭＰＵ１１が車両の運転状況や車載サーバＳの状況を判断し、車両の運転状況や車載サーバの利用状況に応じてダウンロードされたコンテンツの案内を行うようにしても良い。例えば、車両が運行中であれば、運転の妨げにならないように、音声のみで案内を行うようにしても良い。また、車載サーバＳが表示部１７で道順の案内などを表示中であれば、案内中のルート表示の妨げにならないように、音声での案内、あるいは、表示中の画面上に字幕などでダウンロードされたコンテンツを案内表示するようにしても良い。また、車載サーバＳにて音楽などの音声情報の再生中であれば、表示のみでダウンロードされたコンテンツの案内を行うようしても良い。また、車両のエンジンが停止中であれば、エンジンがオンされた際に音声あるいは表示によりダウンロードされたコンテンツの案内を行うようにしても良い。これらのような案内により、ユーザは、ワイヤレスＬＡＮサーバから情報がダウンロードされたことを認知するようになっている。
【００４９】
上記のように、車載サーバＳを搭載した車両がワイヤレスＬＡＮサーバ５の通信圏内に進入した場合、ワイヤレスＬＡＮサーバ５から車載サーバＳに自動的にコンテンツをダウンロードするようにしたものである。これにより、ユーザが特別な操作を行わなくとも、車載サーバＳに種々のコンテンツを格納することができる。
【００５０】
次に、上記車載サーバにてコンテンツを利用する際の動作について説明する。図８は、上記車載サーバＳにてユーザが指定するコンテンツを利用する際の動作を説明するためのフローチャートである。
すなわち、上記車載サーバＳのＨＤＤ１４に記憶されているコンテンツを利用する場合、ユーザは、操作部１９にて所望のコンテンツを指定する（ステップＳ３１）。例えば、車載サーバＳでは、ユーザの操作に応じてメインメニューが表示される。このメインメニューからコンテンツの選択を指示すると、表示部１７には、コンテンツの選択画面が表示される。このコンテンツの選択画面が表示されると、ユーザは、操作部１９により所望のコンテンツを指定するようになっている。
【００５１】
ユーザによりコンテンツが指定されると、車載サーバＳのＭＰＵ１１は、指定されたコンテンツをＨＤＤから検索する（ステップＳ３２）。指定されたコンテンツを検索すると、ＭＰＵ１１は、当該コンテンツがＨＤＤのユーザエリア１４ａに記憶されているコンテンツかリザーブエリア１４ｂに記憶されているコンテンツかを判断する（ステップＳ３３）。
【００５２】
この判断により指定されたコンテンツがリザーブエリア１４ｂに記憶されているコンテンツであると判断した場合、ＭＰＵ１１は、当該コンテンツが有料のコンテンツか否かを判断する（ステップＳ３４）。この判断により指定されたコンテンツが有料のコンテンツであると判断した場合、ＭＰＵ１１は、有料のコンテンツに対する課金処理を実行する（ステップＳ３５）。
【００５３】
この課金処理は、上記ワイヤレスＬＡＮ１３による最寄のワイヤレスＬＡＮサーバ５との無線通信で実行するようにしても良いし、広域の無線通信である携帯電話通信部によるセンタサーバ６１との通信で実行するようにしても良い。当該コンテンツに対する課金処理が完了するまで（ステップＳ３６、ＮＯ）、ＭＰＵ１１は、課金が必要である旨を表示部１７により案内表示する（ステップＳ３７）。この際、ユーザがコンテンツの利用を中止する旨を指示した場合、ＭＰＵ１１は、課金処理を中止するとともに、当該コンテンツの利用も中止し、処理が終了する。
【００５４】
また、有料コンテンツに対する課金処理が完了すると（ステップＳ３６、ＹＥＳ）、ＭＰＵ１１は、当該コンテンツをリザーブエリア１４ｂからユーザエリア１４ａに転送することにより、ユーザが利用可能なコンテンツとして登録する（ステップＳ３８）。また、上記ステップＳ３４にて指定されたコンテンツが無料のコンテンツであると判断した場合（ステップＳ３４、ＮＯ）、ＭＰＵ１１は、当該コンテンツをリザーブエリア１４ｂからユーザエリア１４ａに転送し、ユーザが利用可能なコンテンツとして登録する（ステップＳ３８）。
【００５５】
リザーブエリア１４ｂのコンテンツをユーザエリア１４ａへ転送した場合、ＭＰＵ１１は、上記情報管理エリアに記憶されている当該コンテンツに対する管理情報を更新し、上記ユーザエリア１４ａに転送したコンテンツを示す情報をワイヤレスＬＡＮサーバ５へ通知する。なお、車載サーバＳが当該コンテンツをダウンロードしたワイヤレスＬＡＮサーバ５から離れている場合、ＭＰＵ１１は、最寄のワイヤレスＬＡＮサーバ５へユーザエリア１４ａに転送したコンテンツを示す情報を通知するようにしても良いし、上記携帯電話通信部２２にてセンタサーバ６１に通知するようにしても良い。
【００５６】
上記ステップＳ３３で指定されたコンテンツがユーザエリア１４ａに記憶されているコンテンツであると判断した場合（ステップＳ３３、ＹＥＳ）、あるいは、上記ステップＳ３８で指定されたコンテンツをリザーブエリア１４ｂからユーザエリア１４ａに転送した場合、ＭＰＵ１１は、上記ユーザエリア１４ａから当該コンテンツを読出し、当該コンテンツを実行する（ステップＳ４０）。
【００５７】
例えば、指定されたコンテンツが音楽情報である場合、ＭＰＵ１１は、メモリ１２等に記憶されている音楽再生用のプログラムを起動し、ユーザエリア１４ａから読み出した音楽情報を再生する。また、指定されたコンテンツが映像情報である場合、ＭＰＵ１１は、メモリ１２等に記憶されている映像再生用のプログラムを起動し、ユーザエリア１４ａから読み出した映像情報を再生する。
【００５８】
上記のように、ワイヤレスＬＡＮサーバからダウンロードされた有料コンテンツを利用する場合、当該コンテンツに対する課金処理を行って、当該コンテンツをリザーブエリア１４ｂからユーザエリア１４ａに転送する。これにより、ユーザにとって不要なコンテンツによりユーザエリアを圧迫されることがない。さらに、ユーザは、種々のコンテンツがワイヤレスＬＡＮサーバから自動的にダウンロードされているため、特別な操作を行わなくとも、所望のコンテンツを指定するだけで、リザーブエリア１４ｂのコンテンツであっても好きなときに利用することができる。また、情報提供者側はユーザが直に利用可能な有料コンテンツを提供しておくができ、ユーザに対する有料コンテンツの利用を促進できる。
【００５９】
また、ワイヤレスＬＡＮサーバからダウンロードされたコンテンツを利用する場合、当該コンテンツをリザーブエリアからユーザエリアに転送するとともに、リザーブエリアからユーザエリアに転送したコンテンツを示す情報をワイヤレスＬＡＮサーバへ返すようになっている。これにより、情報提供者側は、ユーザがどのようなコンテンツを利用しているかを知ることができ、ユーザの趣向に合わせたサービスを提供ができる。
【００６０】
また、例えば、車両サーバは、ＧＰＳシステムにより車両の位置情報及び時間情報が判断できるので、車両の現在位置や現在時間にリンクした情報を案内するコンテンツを提供することも可能である。例えば、昼頃に、車が走行している際に、現在位置の周辺にあるレストランのランチメニュー等をディスプレイに表示することが可能である。また、有料で現在位置と現在時間とにリンクした情報をあることを表示し、ユーザの意思で選択できるようにしても良い。
【００６１】
次に、ワイヤレスＬＡＮサーバ５から車載サーバＳにダウンロードされたコンテンツの管理について説明する。
図９は、リザーブエリア１４ｂに記憶されているコンテンツに対する管理を説明するためのフローチャートである。
上記車載サーバＳでは、上記情報管理エリア１４ｃにリザーブエリア１４ｂに記憶されているコンテンツに関するアクセス状況を示す管理情報（アクセス情報）を記憶している。上記アクセス情報は、図５に示すように、コンテンツを示すコンテンツＩＤ、登録日（ダウンロードされた日時を示す情報）、及びアクセス回数などから構成されるものとする。
【００６２】
上記車載サーバＳは、例えば、所定期間ごとにリザーブエリア１４ｂに記憶されているコンテンツのアクセス情報を読み出す（ステップＳ５１）。コンテンツのアクセス情報を読み出すと、車載サーバＳのＭＰＵ１１は、当該アクセス情報に基づいてコンテンツを削除するための所定の条件を超えているか否かを判断する。このようなコンテンツを削除するための所定の条件は、例えば、登録日から経過期間、所定期間におけるアクセス回数などにより設定される。
【００６３】
また、コンテンツを削除する条件は、予め設定されるものであっても良いし、各コンテンツごとに設定されるものであっても良い。例えば、各コンテンツごとに設定される場合、当該コンテンツをダウンロードする際に、コンテンツにそのコンテンツを削除するための条件を示す情報を付与するようにすれば良い。
【００６４】
ここでは、予め設定される登録日から所定期間経過したコンテンツを削除するものとして説明する。
すなわち、ＭＰＵ１１は、まず、読み出したコンテンツのアクセス情報により当該コンテンツの登録日からの経過期間を判別する。これにより登録日からの経過期間を判別すると、ＭＰＵ１１は、登録日からの経過期間が所定期間を超えているか否かを判断する（ステップＳ５２）。この判断により登録日から所定期間を超えていると判断した場合、ＭＰＵ１１は、所定期間を経過したコンテンツを示す情報をワイヤレスＬＡＮサーバ５へ通知する（ステップＳ５３）。この際、当該コンテンツに対するアクセス状況を示す情報を付与してワイヤレスＬＡＮサーバに通知するようにしても良い。このような所定期間を経過したコンテンツをワイヤレスＬＡＮサーバ５へ通知すると、ＭＰＵ１１は、リザーブエリアに記憶されている当該コンテンツを削除する（ステップＳ５４）。
【００６５】
車載サーバのＭＰＵ１１は、上記のような処理を、リザーブエリア１４ｂに記憶されている全てのコンテンツに対して実行する。これにより、ＭＰＵ１１は、リザーブエリア１４ｂに記憶されているコンテンツのうち登録日から所定の期間が経過している全てのコンテンツをワイヤレスＬＡＮサーバ５に通知するとともに、リザーブエリア１４ｂから削除する。
【００６６】
上記のように、リザーブエリア１４ｂに記憶されているコンテンツは、所定の条件を超えると、削除されるようになっている。これにより、リザーブエリアの記憶容量を確保でき、ユーザが特別な操作を行わなくともリザーブエリアの長期間の利用が可能となる。
【００６７】
また、コンテンツを削除する際、ワイヤレスＬＡＮサーバへ削除するコンテンツを示す情報を通知するようにしたものである。これにより、情報提供者側では、各コンテンツに対するユーザの利用状況を把握することができる。
【００６８】
次に、車載サーバＳからホームサーバ４にデータをアップロードする際の動作について説明する。
車載サーバＳからホームサーバ４にデータを取り込む動作は、車載サーバＳをユーザが操作することにより、車載サーバＳがホームサーバ４へデータを転送することが可能である。また、ホームサーバ４をユーザが操作することにより、ホームサーバ４が車載サーバＳからデータを取り込むことも可能である。
【００６９】
ここでは、ホームサーバ４が車載サーバＳからデータを取り込む動作について図１０を参照しつつ説明する。なお、ここでは、車載サーバＳのユーザエリア１４ａに記憶されているコンテンツを取り込む動作について説明するが、例えば、ホームサーバ４から無線通信を介して車載サーバＳを操作可能とすれば、図８と同様な動作を車載サーバＳに行わせることにより、リザーブエリア１４ｂに記憶されているコンテンツに関してもホームサーバ４へ取り込むことが可能となる。
【００７０】
まず、ユーザは、ホームサーバ４の操作部３９にてコンテンツが記憶されている車載サーバＳを指定する。すると、ホームサーバ４のＭＰＵ３１は、当該車載サーバＳのＩＰアドレスを判別する（ステップＳ６１）。
【００７１】
転送先のＩＰアドレスを判別すると、ＭＰＵ３１は、ワイヤレスＬＡＮ３３により当該ＩＰアドレスを有する車載サーバＳを検索する（ステップＳ６２）。これにより当該ＩＰアドレスの車載サーバＳを見つけると（ステップＳ６３、ＹＥＳ）、ＭＰＵ３１は、車載サーバＳに登録されているコンテンツを示す情報を表示部３７に表示する。これにより、ユーザは、操作部３９により車載サーバＳに登録されているコンテンツからホームサーバ４に取り込みたいコンテンツを指定する（ステップＳ６４）。
【００７２】
ユーザによりホームサーバ４に取り込むコンテンツが指定されると、ＭＰＵ３１は、車載サーバＳからユーザにより指定されたコンテンツの取り込み処理（アップロード）を行う（ステップＳ６５）。上記車載サーバＳからコンテンツを取り込むと、ホームサーバ４のＭＰＵ３１は、取り込んだコンテンツをＨＤＤ３４に記憶する（ステップＳ６６）。
【００７３】
上記のように、車載サーバに記憶されたコンテンツをホームサーバに取り込めるようにしたものである。これにより、車載サーバがワイヤレスＬＡＮサーバ等から取り込んだデータを、さらに、ホームサーバ４でも利用することができ利便性が向上する。
【００７４】
上記のように、車載サーバシステムにおいて、車載サーバは、ホームサーバ４とのコンテンツのダウンロード及びアップロードが可能であり、さらに、ワイヤレスＬＡＮサーバからのデータのダウンロードが可能である。従って、例えば、音楽、あるいは映像などのコンテンツをワイヤレスＬＡＮサーバから車載サーバに取り込み、自宅のホームサーバ４へアップロードすることが可能となる。
【００７５】
つまり、本車載サーバシステムでは、音楽あるいは映像等のコンテンツをＣＤ、ＤＶＤ、あるいはビデオテープなどの記憶媒体に記憶された状態で購入する必要がなく、車両の車載サーバにて所望のコンテンツのデータのみを購入できる。これによれば、所望のコンテンツを最寄のワイヤレスＬＡＮサーバへ車で行く（あるいはワイヤレスＬＡＮサーバの近辺を車で通る）だけで、所望のコンテンツを購入することができ、さらには、購入したコンテンツを自宅でも利用することが可能となる。
【００７６】
また、本車載サーバシステムでは、ユーザから所望のコンテンツにアクセスするＰｕｌｌ方式ではなく、ユーザが所望すると思われるコンテンツをサービス側が提供するＰｕｓｈ方式で車載サーバにコンテンツを提供することが可能である。さらに、本車載サーバシステムでは、車載サーバが搭載された車両の移動に限らず、停止あるいは駐車しているときであっても、コンテンツをダウンロードすることができる。
【００７７】
従って、本車載サーバシステムでは、ユーザにとっては、データのダウンロードにユーザが手間をかけることがなく、かつ、ユーザが自由に利用できる記憶領域を使用することなく情報の提供を受けられるため、利便性が向上する。また、情報を提供する側にとっては、食事中、ショッピング中、給油中などに、音楽や映像などのコンテンツ、レストランの割引情報などのサービス情報、及び広告などのデータを車載サーバにダウンロードさせることができ、サービスの促進、サービス料収入の増加などの効果が期待できる。
【００７８】
【発明の効果】
以上詳述したように、この発明によれば、情報提供者側から提供する情報をユーザに手間をかけさせることなく提供することができ、かつ、ユーザ自身が自由に使用可能な記憶容量を圧迫することがない移動機器、車載端末機器、移動機器システム及び車載端末機器システムを提供できる。
【図面の簡単な説明】
【図１】この発明の実施の形態に係る車載サーバシステムの概略構成を示す図。
【図２】この発明の実施の形態に係る車載サーバシステムの概略構成を示す図。
【図３】車載サーバシステムの概略構成を示すブロック図。
【図４】コンテンツに付与されるＩＤ情報の構成例を示す図。
【図５】各コンテンツのアクセス情報の構成例を示す図。
【図６】ホームサーバから車載サーバへコンテンツをダウンロードする際の動作を説明するためのフローチャート。
【図７】ワイヤレスＬＡＮサーバから車載サーバへコンテンツをダウンロードする際の動作を説明するためのフローチャート。
【図８】ＨＤＤに記憶したコンテンツを使用する際の動作を説明するためのフローチャート。
【図９】リザーブエリア内のコンテンツに関する管理を説明するためのフローチャート。
【図１０】車載サーバからホームサーバへコンテンツをアップロードする際の動作を説明するためのフローチャート。
【符号の説明】
Ｓ…車載サーバ、５…ワイヤレスＬＡＮサーバ、４…ホームサーバ、１１…ＭＰＵ、１２…メモリ、１３…ワイヤレスＬＡＮ、１４…ＨＤＤ、１４ａ…ユーザエリア、１４ｂ…リザーブエリア、１４ｃ…情報管理エリア、１７…表示部、１９…操作部、２０…電源、２２…携帯電話通信部、２３…スピーカ、３１…ＭＰＵ、３２…メモリ、３３…ワイヤレスＬＡＮ、３４…ＨＤＤ、３７…表示部、３９…操作部、５１…ＭＰＵ、５２…メモリ、５３…ワイヤレスＬＡＮ、５４…ＨＤＤ、５７…表示部、５９…操作部
【図１】
2004104270.tif 000003
【図２】
2004104270.tif 000004
【図３】
2004104270.tif 000005
【図４】
2004104270.tif 000006
【図５】
2004104270.tif 000007
【図６】
2004104270.tif 000008
【図７】
2004104270.tif 000009
【図８】
2004104270.tif 000010
【図９】
2004104270.tif 000011
【図１０】
2004104270.tif 000012